(57)【要約】【課題】  アルミニウム箔からなる振動板を備えるリボンマイクロホンにおいて、アルミニウム箔に耐蝕性を持たせるとともに固定電極との接合部分でも長期にわたって良好な電気的接続状態が得られるようにする。【解決手段】  リボン状のアルミニウム箔１１からなる振動板１０の両面に金蒸着膜１２を形成する。好ましくは、振動板１０の両端部１０ａ（１０ｂ）に取り付けられる電極板２０ａ，２０ｂの各内面にも金蒸着膜２１を形成する。【選択図】  図２
2005252440.tif 000002
【特許請求の範囲】
【請求項１】
両端に固定電極が取り付けられたリボン状のアルミニウム箔からなる振動板を磁気ギャップ内に配置してなる可動リボン型マイクロホンにおいて、
上記振動板の両面に金蒸着膜が形成されていることを特徴とする可動リボン型マイクロホン。
【請求項２】
上記金蒸着膜の膜厚が５００オングストローム以上で、かつ、上記振動板に付加される質量が１０％以内であることを特徴とする請求項１に記載の可動リボン型マイクロホン。
【請求項３】
上記固定電極の上記振動板との接触面にも金蒸着膜が形成されていることを特徴とする請求項１または２に記載の可動リボン型マイクロホン。
【発明の詳細な説明】
【技術分野】
【０００１】
本発明は可動リボン型マイクロホンに関し、さらに詳しく言えば、そのリボン状に形成された振動板に関するものである。
【背景技術】
【０００２】
可動リボン型マイクロホンは、両端に固定電極が取り付けられたリボン状の振動板（リボン箔）を一対の永久磁石により提供される磁気ギャップ内に配置してなるベロシティマイクロホンで、その歴史は可動コイル型よりも古く１９３３年頃にドイツ国のＳｉｅｍｎｓ＆Ｈａｌｓｋｅ社が最初に開発したとされている（非特許文献１参照）。
【０００３】
可動リボン型マイクロホン（略してリボンマイクロホン）において、振動板にはアルミニウム箔が一般的に用いられている。その理由は他の金属に比べてアルミニウムは導電性と比重がリボンマイクロホンに適しているからである。
【０００４】
また、振動板の共振周波数を低くするためリボン箔にはギャなどの成型装置により屏風状（ジグザク状）の折り曲げ加工が施されるが、この点からしても延性のよいアルミニウムが好適であるとされている。
【０００５】
他方において、アルミニウムは導体抵抗がきわめて小さい（０．１〜０．２Ω）。したがって、アルミニウム箔の振動板から得られる信号レベルも小さい。そのため、振動板をアルミニウム箔とするリボンマイクロホンにおいては、通常、その振動板を昇圧トランスの一次側に接続しその二次側から高い信号レベルを得るようにしている（非特許文献２参照）。
【０００６】
【非特許文献１】日本オーディオ協会より１９８６年１２月４日発行の「オーディオ５０年史」Ｐ１８０〜１８７
【非特許文献２】ＪＯＵＲＮＡＬ  ＯＦ  ＴＨＥ  ＡＵＤＩＯ  ＥＮＧＩＮＥＥＲＩＮＧ  ＳＯＣＩＥＴＹ（Ｖｏｌ，１〜２７）Ｐ２０４
【発明の開示】
【発明が解決しようとする課題】
【０００７】
上述したように、リボンマイクロホンの振動板に用いられるアルミニウムは延性の点で他の金属を含まない純アルミニウム材が好ましいが、純アルミニウム材は空気中の水分と結合して表面に水酸化アルミニウム被膜が形成されやすく耐蝕性に劣り経年変化の点で問題がある。
【０００８】
また、振動板を支持する固定電極には導電性の良好な真鍮などの銅合金が一般的に用いられるが、アルミニウムとは異種金属の接合となるため電蝕などの問題が生ずる。すなわち、振動板は固定電極を介して昇圧トランスの一次側と接続されるため、その部分の抵抗値が高くなると雑音が発生したり感度低下や出力インピーダンスの上昇と言った問題が発生する。
【０００９】
したがって、本発明の課題は、アルミニウム箔からなる振動板を備える可動リボン型マイクロホンにおいて、アルミニウム箔に耐蝕性を持たせるとともに固定電極との接合部分でも長期にわたって良好な電気的接続状態が得られるようにすることにある。
【課題を解決するための手段】
【００１０】
上記課題を解決するため、本願の請求項１に係る発明は、両端が固定電極で支持されたリボン状のアルミニウム箔からなる振動板を磁気ギャップ内に配置してなる可動リボン型マイクロホンにおいて、上記振動板の両面に金蒸着膜が形成されていることを特徴としている。
【００１１】
また、本願の請求項２に係る発明は、上記金蒸着膜の膜厚が５００オングストローム以上で、かつ、上記振動板に付加される質量が１０％以内であることを特徴としている。
【００１２】
また、本願の請求項３に係る発明は、上記固定電極の上記振動板との接触面にも金蒸着膜が形成されていることを特徴としている。
【発明の効果】
【００１３】
請求項１に係る発明によれば、アルミニウム箔からなる振動板の表面が金蒸着膜によって覆われているため耐蝕性が改善され経年変化を少なくすることができる。また、金蒸着膜は優れた延性を有しているため振動板の折り曲げ加工にも支障を与えることはない。
【００１４】
請求項２に係る発明によれば、アルミニウム箔の酸化を確実に防止できるとともに感度変化を金蒸着膜を形成しない場合と比べて１ｄＢ以内とすることができる。
【００１５】
また、請求項３に係る発明によれば、振動板と固定電極とが金蒸着膜同士の接合となるため、異種金属の接合による電蝕現象が発生せず長期にわたって抵抗値の安定した良好な電気的接続状態が維持され、接続不良（高抵抗値化）による雑音の発生，感度低下および出力インピーダンスの上昇などを防止することができる。
【発明を実施するための最良の形態】
【００１６】
次に、図１および図２を参照して本発明の実施形態について説明するが、本発明はこれに限定されるものではない。図１は本発明による可動リボン型マイクロホンを示す模式的な分解斜視図、図２はその要部を示す拡大断面図である。
【００１７】
図１に示すように、この可動リボン型マイクロホンは、リボン状（細長い帯状）に形成された振動板１０を備えている。振動板１０には共振周波数を低くするため、その両端部１０ａ，１０ｂを残してジグザグ状の折り曲げ加工が施されている。この折り曲げ加工は振動板１０を例えば一対のギャを有する成型装置を通すことにより行うことができる。
【００１８】
図２に拡大して示すように、振動板１０には導電性が良好で比重が軽い点および上記の折り曲げ加工を容易に行える延性を備えている点などからしてアルミニウム箔１１が用いられるが、なかでも他の金属を含まない純アルミニウム材が好ましい。
【００１９】
振動板１０の両端部１０ａ，１０ｂには固定電極２０，２０が取り付けられる。振動板１０はこれらの固定電極２０，２０を介して図示しないマイクロホン筐体に振動可能に支持された状態で図１に想像線で示す一対の永久磁石３０，３０間の磁気ギャップ内に配置される。
【００２０】
固定電極２０，２０はともに一対の電極板２０ａ，２０ｂを備え、電極板２０ａ，２０ｂの間に振動板１０の端部を挟み込む。この例において、電極板２０ａ，２０ｂは導電性および加工性が良好である銅合金よりなるが、他の金属が用いられてもよい。電極板２０ａ，２０ｂを締め付ける締結手段はネジ２２であってよい。
【００２１】
本発明において、振動板１０を構成するアルミニウム箔１１の両面には両端部１０ａ，１０ｂを含めて金蒸着膜１２が形成されている。金蒸着膜１２の膜厚は５００オングストローム（５０ｎｍ）以上で、かつ、振動板１０に付加される質量が１０％以内であることが好ましい。
【００２２】
金蒸着膜１２の膜厚および質量を上記の範囲内とすることにより、アルミニウム箔の酸化を確実に防止できるとともに、感度変化を金蒸着膜を形成しないアルミニウム箔だけの場合と比べて１ｄＢ以内とすることができる。また、金蒸着膜１２も延性に富んでいるため振動板１０を容易に折り曲げ加工することができる。
【００２３】
また、異種金属の接合による電蝕を防止するため、電極板２０ａ，２０ｂの各内面（振動板１０に対する挟持面）にも金蒸着膜２１を形成することが好ましい。なお、電極板２０ａ，２０ｂの双方もしくはいずれか一方に金めっきが施されたプリント基板を用いることもできる。
【００２４】
マイクロホンの組立時、振動板１０の両端部１０ａ，１０ｂに固定電極２０，２０が取り付けられ、振動板１０はこれら固定電極２０，２０を介して図示しない昇圧トランスの一次側に接続されるが、振動板１０は金蒸着膜１２によって被覆されているため耐食性が良好で経年変化が生ずることはほとんどない。
【００２５】
また、固定電極２０に含まれる電極板２０ａ，２０ｂの各内面にも金蒸着膜２１を形成することにより、上記昇圧トランスの一次側への電気的接続が確実になり、接触不良による雑音発生，感度低下および出力インピーダンスの上昇を防止することが可能となる。
【図面の簡単な説明】
【００２６】
【図１】本発明による可動リボン型マイクロホンを示す模式的な分解斜視図。
【図２】本発明の要部を示す拡大断面図。
【符号の説明】
【００２７】
１０  振動板
１１  アルミニウム箔
１２  金蒸着膜
２０  固定電極
２０ａ，２０ｂ  電極板
２１  金蒸着膜
３０  永久磁石
【図１】
2005252440.tif 000003
【図２】
2005252440.tif 000004